(57)【要約】【課題】  プロモーション映像等の制作者にロイヤルティの還元を図り、映像制作者に利益と希望に満ちた環境を提供し、映像業界の発展に寄与すること。【解決手段】  アフィリエイトサイト１が提供するコンテンツを経由してＥＣサイト３のアイテムが購入された場合、ＥＣサイト３からアフィリエイトサイト１に報酬が支払われるアフィリエイトシステムにおいて、ユーザ端末１に再生されるスクリーンセーバーに映像コンテンツを配信し、ユーザが、再生中の映像コンテンツを契機としてＥＣサイト３のアイテムを購入したとき、そのアフィリエイト報酬の一部を映像コンテンツの制作者に分配するように処理すること。【選択図】  図１
2007219860.tif 000002
【特許請求の範囲】
【請求項１】
アフィリエイトサイトが提供するコンテンツを経由してＥＣサイトのアイテムが購入された場合、前記ＥＣサイトから前記アフィリエイトサイトに報酬が支払われるアフィリエイトシステムにおいて、
前記アフィリエイトサイトが提供する映像コンテンツと、当該アフィリエイトサイトの識別子と、当該映像コンテンツの制作者の識別子と、前記ＥＣサイトのアイテムの識別子とを関連付けて記憶する映像コンテンツ記憶手段と、
前記映像コンテンツ記憶手段に記憶された映像コンテンツと、アフィリエイトサイト識別子と、当該映像コンテンツの制作者識別子と、前記アイテム識別子との関連付けを受信して記憶手段に格納すると共に、当該映像コンテンツをユーザ端末の表示手段にスクリーンセーバーとして再生するスクリーンセーバー再生手段と、
ユーザ端末の入力手段から所定の操作が入力されたとき、前記スクリーンセーバー再生手段が再生中の映像コンテンツに関連付けられたアフィリエイトサイト識別子と、当該映像コンテンツの制作者識別子と、前記アイテム識別子とを記憶手段から読み出し、前記ＥＣサイトに送信するＥＣサイト接続手段と、
このＥＣサイト接続手段から送信されたアイテム識別子に対応するアイテム購入インタフェースを前記ユーザ端末に送信すると共に、前記ＥＣサイト接続手段から送信されたアフィリエイトサイト識別子と、映像コンテンツ制作者識別子と、アイテム識別子との関連付けを記憶手段に格納するＥＣサイトシステムと、
前記アイテム購入インタフェースを介してアイテムが購入された場合に、前記アフィリエイトサイトおよび前記映像コンテンツ制作者に支払うべき報酬を算出するための報酬分配ルールを記憶した報酬分配ルール記憶手段と、
前記アイテム購入インタフェースを介してアイテムが購入された場合、当該アイテムの識別子に関連付けて前記ＥＣサイトシステムの記憶手段に格納されたアフィリエイトサイト識別子と、映像コンテンツ制作者識別子と、アイテム識別子に対応する売上とを取得すると共に、当該売上と前記報酬分配ルール記憶手段に記憶された報酬分配ルールとに基づいて前記アフィリエイトサイトおよび前記映像コンテンツ制作者に支払うべき報酬をそれぞれ算出し、当該算出した各報酬をそれぞれ前記アフィリエイトサイト識別子または映像コンテンツの制作者識別子に関連付けて記憶手段に格納する報酬算出手段と、
この記憶手段に格納した各報酬を要求に基づいて出力装置に出力する出力手段と、
を備えたことを特徴とするアフィリエイトシステム。
【請求項２】
アフィリエイトサイトが提供するコンテンツを経由してＥＣサイトのアイテムが購入された場合、前記ＥＣサイトから前記アフィリエイトサイトに報酬が支払われるアフィリエイトシステムにおいて、
前記アフィリエイトサイトが提供する映像コンテンツと、当該アフィリエイトサイトの識別子と、当該映像コンテンツの制作者の識別子と、前記ＥＣサイトのアイテムの識別子とを関連付けて記憶する映像コンテンツ記憶手段を備え、
スクリーンセーバー再生手段が、前記映像コンテンツ記憶手段に記憶された映像コンテンツと、アフィリエイトサイト識別子と、当該映像コンテンツの制作者識別子と、前記アイテム識別子との関連付けを受信して記憶手段に格納すると共に、当該映像コンテンツをユーザ端末の表示手段にスクリーンセーバーとして再生するステップと、
ＥＣサイト接続手段が、ユーザ端末の入力手段から所定の操作が入力されたとき、前記スクリーンセーバー再生手段が再生中の映像コンテンツに関連付けられたアフィリエイトサイト識別子と、当該映像コンテンツの制作者識別子と、前記アイテム識別子とを記憶手段から読み出し、前記ＥＣサイトに送信するステップと、
ＥＣサイトシステムが、このＥＣサイト接続手段から送信されたアイテム識別子に対応するアイテム購入インタフェースを前記ユーザ端末に送信すると共に、前記ＥＣサイト接続手段から送信されたアフィリエイトサイト識別子と、映像コンテンツ制作者識別子と、アイテム識別子との関連付けを記憶手段に格納するステップとを備えると共に、
前記アイテム購入インタフェースを介してアイテムが購入された場合に、前記アフィリエイトサイトおよび前記映像コンテンツ制作者に支払うべき報酬を算出するための報酬分配ルールを記憶した報酬分配ルール記憶手段を備え、
報酬算出手段が、前記アイテム購入インタフェースを介してアイテムが購入された場合、当該アイテムの識別子に関連付けて前記ＥＣサイトシステムの記憶手段に格納されたアフィリエイトサイト識別子と、映像コンテンツ制作者識別子と、アイテム識別子に対応する売上とを取得すると共に、当該売上と前記報酬分配ルール記憶手段に記憶された報酬分配ルールとに基づいて前記アフィリエイトサイトおよび前記映像コンテンツ制作者に支払うべき報酬をそれぞれ算出し、当該算出した各報酬をそれぞれ前記アフィリエイトサイト識別子または映像コンテンツの制作者識別子に関連付けて記憶手段に格納するステップと、
出力手段が、この記憶手段に格納した各報酬を要求に基づいて出力装置に出力するステップと、
を備えたことを特徴とするアフィリエイト方法。
【発明の詳細な説明】
【技術分野】
【０００１】
本発明は、アフィリエイトシステム及びアフィリエイト方法に係り、特に、アフィリエイトサイトが提供するコンテンツを経由してＥＣサイトのアイテムが購入された場合に、ＥＣサイトからアフィリエイトサイトに報酬が支払われるアフィリエイトシステム及びアフィリエイト方法に関する。
【背景技術】
【０００２】
インターネットのブロードバンド化により映像の使用範囲が広がり、また急速に多様化されている現在。ライブドアのフジテレビ株、楽天のＴＢＳ株の買収を例に挙げるまでもなく、放送と通信とは一体化しつつあり、コンテンツビジネス、ライツマネジメントに重きを置いたビジネススキームが産業の要を担い始めている。
【０００３】
一方、映像コンテンツ制作者は、コンテンツビジネスによって利益を生む仕組みの枠の外にいる。受注納品までが制作者の仕事であり、制作者に対してのロイヤリティの還元がなされない上に、誰が何を制作したのか、情報の明確化さえも行われていない映像コンテンツの現状に、どうして明るい未来を感じることができようか。
【０００４】
１の仕事に対して１の対価ではなく、音楽ビジネスの様に、１の作品に対して無限の対価を呼び起こすコンテンツビジネス、ライツマネジメントにおいて、映像本来の作品性や素晴らしい制作者たち人材こそ、利益と希望に満ちた環境の訪れを約束しなければならない。
【０００５】
本発明の詳細は後述するが、その概要は、ユーザ端末に再生されるスクリーンセーバーに映像コンテンツを配信し、ユーザが、再生中の映像コンテンツを契機としてＥＣサイトのアイテムを購入したとき、そのアフィリエイト報酬の一部を映像コンテンツの制作者に分配するものである。
【０００６】
これに関する公知技術として、スクリーンセーバーに映像を配信する技術（例えば、特許文献１）がある。また、スクリーンセーバーに映像を配信し、ユーザが当該映像に関連するコンテンツの利用を望んだときに、当該関連コンテンツの提供を行う技術（例えば、特許文献２）がある。
【特許文献１】特開２００５−２７６１４２号公報
【特許文献２】特開２００４−１２７１２８号公報
【発明の開示】
【発明が解決しようとする課題】
【０００７】
本発明は、プロモーション映像等の制作者にロイヤルティの還元を図り、映像制作者に利益と希望に満ちた環境を提供し、映像業界の発展に寄与することを課題とする。
【課題を解決するための手段】
【０００８】
アフィリエイトシステムは、アフィリエイトサイトが提供するコンテンツを経由してＥＣサイトのアイテムが購入された場合に、ＥＣサイトからアフィリエイトサイトに報酬が支払われるものである。
【０００９】
このアフィリエイトシステムにおいて、本発明では、アフィリエイトサイトが提供する映像コンテンツと、当該アフィリエイトサイトの識別子と、当該映像コンテンツの制作者の識別子と、ＥＣサイトのアイテムの識別子とを関連付けて記憶する映像コンテンツ記憶手段を備える。
【００１０】
そして、スクリーンセーバー再生手段が、映像コンテンツ記憶手段に記憶された映像コンテンツと、アフィリエイトサイト識別子と、当該映像コンテンツの制作者識別子と、アイテム識別子との関連付けを受信して記憶手段に格納すると共に、当該映像コンテンツをユーザ端末の表示手段にスクリーンセーバーとして再生する。ここで、スクリーンセーバーとは、実質的に、スクリーンを焼けから保護する動画の再生を意味し、必ずしも、オペレーティングシステム付属のスクリーンセーバープログラムに限らない。
【００１１】
次いで、ＥＣサイト接続手段が、ユーザ端末の入力手段から所定の操作が入力されたとき、スクリーンセーバー再生手段が再生中の映像コンテンツに関連付けられたアフィリエイトサイト識別子と、当該映像コンテンツの制作者識別子と、アイテム識別子とを記憶手段から読み出し、ＥＣサイトに送信する。
【００１２】
次いで、ＥＣサイトシステムが、このＥＣサイト接続手段から送信されたアイテム識別子に対応するアイテム購入インタフェースをユーザ端末に送信すると共に、ＥＣサイト接続手段から送信されたアフィリエイトサイト識別子と、映像コンテンツ制作者識別子と、アイテム識別子との関連付けを記憶手段に格納する。
【００１３】
また、本発明では、アイテム購入インタフェースを介してアイテムが購入された場合に、アフィリエイトサイトおよび映像コンテンツ制作者に支払うべき報酬を算出するための報酬分配ルールを記憶した報酬分配ルール記憶手段を備える。
【００１４】
そして、報酬算出手段が、アイテム購入インタフェースを介してアイテムが購入された場合、当該アイテムの識別子に関連付けて前記ＥＣサイトシステムの記憶手段に格納されたアフィリエイトサイト識別子と、映像コンテンツ制作者識別子と、アイテム識別子に対応する売上とを取得すると共に、当該売上と前記報酬分配ルール記憶手段に記憶された報酬分配ルールとに基づいてアフィリエイトサイトおよび映像コンテンツ制作者に支払うべき報酬をそれぞれ算出し、当該算出した各報酬をそれぞれ前記アフィリエイトサイト識別子または映像コンテンツの制作者識別子に関連付けて記憶手段に格納する。
【００１５】
その後、出力手段が、この記憶手段に格納した各報酬を要求に基づいて出力装置に出力する。
【発明の効果】
【００１６】
これによると、ユーザがプロモーション映像等を見てＥＣサイトのアイテムを購入すると、そのアフィリエイト収入の一部が映像制作者に分配される。映像制作者は、良質な映像を積極的に制作しようというインセンティブが働き、映像業界の発展に寄与する。
【発明を実施するための最良の形態】
【００１７】
以下、本発明の一実施形態を図面を参照しつつ説明する。
【００１８】
図１は、本発明の一実施形態であるアフィリエイトシステムの構成図である。
【００１９】
本実施形態において、アフィリエイトシステムは、音楽アーティストのプロモーションビデオを配信するアフィリエイトサイトシステム１と、このプロモーションビデオをスクリーンセーバーとして再生するユーザ端末２と、このプロモーションビデオに関連する音楽アイテムを販売するＥＣサイトシステム３と、ＥＣサイトシステム３の売上に基づいてアフィリエイト報酬をアフィリエイトサイトに支払うアフィリエイト仲介システム４とで構成されている。各システムおよび端末１〜４は、インターネットを介して相互に通信を可能とするモデム等の通信手段を備えている。
【００２０】
このうち、アフィリエイトサイトシステム１は、映像コンテンツ制作者によって制作された映像コンテンツ（プロモーションビデオ）をＨＤＤ等の映像コンテンツ記憶手段に格納している。映像コンテンツ記憶手段は、図２（ａ）に示すように、映像コンテンツの識別子と、アフィリエイトサイトを識別するためのアフィリエイトサイト識別子と、映像コンテンツの制作者を識別するための映像コンテンツ制作者識別子と、映像コンテンツに対応する音楽アイテムの識別子とを関連付けて記憶している。アフィリエイトサイト識別子、映像コンテンツ制作者識別子およびアイテム識別子は、ＥＣサイトのＵＲＬに引数として付加され、実際には、映像コンテンツ識別子と、ＥＣサイトのＵＲＬ（引数を含む）とが関連付けて記憶されている。
更に、映像コンテンツには、嗜好分類コードが関連付けられている。嗜好分類コードは、映像コンテンツに対するユーザの嗜好を分類し、当該分類毎に付与されたコードであり、例えば、ロック、ポップス等の音楽ジャンルの分類や、元気、癒し等の音楽の雰囲気の分類等、多様な分類が考えられる。嗜好分類コードは、１つに限らず複数関連付けてもよい。映像コンテンツ記憶手段には、図２（ａ）に示す映像コンテンツ毎のレコードが多数登録されており、また、それら複数の映像コンテンツをユーザ端末２に配信する順序が、予めスケジューリングされている。
また、アフィリエイトサイトシステム１は、ユーザ嗜好記憶手段を備えている。ユーザ嗜好記憶手段には、図２（ｄ）に示すように、ユーザの識別子と、そのユーザが嗜好する分類の嗜好分類コードとが関連付けて記憶される。嗜好分類コードは、１つに限らず複数を関連付けてもよい。ユーザ識別子に対する嗜好分類コードの関連付けは、ユーザがユーザ端末から編集することができ、また、後述するようにシステムによって自動的に編集される場合がある。
ここで、アフィリエイトサイトシステム１の種々の動作は、コンピュータが所定のプログラム処理を実行することによって実現される。
【００２１】
また、ユーザ端末２は、キーボードやマウス等の入力手段と、液晶ディスプレイ等の表示手段と、ＨＤＤ等の記憶手段とを備えている。また、ユーザ端末のコンピュータは、所定のプログラム処理により、スクリーンセーバー再生手段と、ＥＣサイト接続手段とを実現する。その他ユーザ端末２の動作は、ユーザ端末２のコンピュータが所定のプログラム処理を実行することによって実現される。
【００２２】
また、ＥＣサイトシステム３は、アイテムの購入時に利用するＨＤＤ等の記憶手段を備えている。ＥＣサイトシステム３の動作は、同システムのコンピュータが所定のプログラム処理を実行することにより実現される。
【００２３】
また、アフィリエイト仲介システム４は、アフィリエイト収入の分配ルールを記憶したＨＤＤ等の報酬分配ルール記憶手段を備えている。この報酬分配ルールは、ＥＣサイトの売上に基づくアフィリエイト報酬をアフィリエイトサイトと映像コンテンツ制作者とに分配する際の割合を規定している。アフィリエイト仲介システム４の動作は、同システムのコンピュータが所定のプログラム処理を実行することにより実現され、これにより、報酬算出手段と、出力手段も実現される。
【００２４】
次に、本実施形態の動作を図３に基づいて説明する。
【００２５】
ユーザ端末２において、スクリーンセーバー再生手段が起動されると、スクリーンセーバー再生手段は、アフィリエイトサイトシステム１に対し、映像コンテンツの配信を要求する。この要求を受けたアフィリエイトサイトシステム１は、映像コンテンツ記憶手段から所定のレコードを選択し、当該レコードに含まれる映像コンテンツ識別子と、ＥＣサイトのＵＲＬ（アフィリエイトサイト識別子、映像コンテンツ制作者識別子およびアイテム識別子を引数に含む（以下同じ））を読み出し、ユーザ端末２に送信する。また、読み出した映像コンテンツ識別子に対応する映像コンテンツの実体を記憶手段から読み出し、ユーザ端末２に配信する（Ｓ１）。
これを詳述すると、アフィリエイトサイトシステム１は、ユーザ端末２が映像コンテンツの配信を要求してきたとき、ユーザ端末２からユーザの識別子を取得する。ユーザ識別子の取得は、例えば、ユーザ端末２に保存されたCookiから行うことが考えられる。次いで、アフィリエイトサイトシステム１は、ユーザ嗜好記憶手段からユーザ識別子の一致するレコードを検索し、当該レコードに関連付けられた嗜好分類コードを読み出す。次いで、アフィリエイトサイトシステム１は、映像コンテンツ記憶手段の配信がスケジューリングされた映像コンテンツの中から、嗜好分類コードの一致するレコードだけを選択し、スケジュールに沿って順次ユーザ端末２に上記の配信を実行する。
【００２６】
ユーザ端末２は、アフィリエイトサイトシステム１が送信した映像コンテンツ識別子とＥＣサイトＵＲＬとの関連付けを受信し、記憶手段に格納する（図２（ａ））。また、アフィリエイトサイトシステム１が配信する映像コンテンツを記憶手段にバッファリングしつつ、スクリーンセーバー再生手段が、バッファリングした映像コンテンツを表示手段にスクリーンセーバーとしてストリーミング再生する（Ｓ２）。１本の映像コンテンツの配信が完了すると、次の１本の映像コンテンツが上記のように順次配信されるようになっている。
【００２７】
この映像コンテンツ（音楽アーティストのプロモーション映像）の再生中に、ユーザが入力手段からアイテム購入を要求する所定の操作を行うと、ＥＣサイト接続手段は、この操作を検知し、スクリーンセーバー再生手段が再生中の映像コンテンツの識別子に関連付けられたＥＣサイトＵＲＬを記憶手段から読み出し、当該ＵＲＬへのアクセスをもってＥＣサイトシステム３に接続する。このとき、ユーザ端末２からＥＣサイトシステム３に対し、アフィリエイトサイト識別子、映像コンテンツ制作者識別子およびアイテム識別子が送信される。
また、ＥＣサイト接続手段は、上記ユーザの操作を検知したとき、スクリーンセーバー再生手段が再生中の映像コンテンツの識別子を、ユーザ識別子に関連付けてアフィリエイトサイトシステム１に送信する。この情報を受信したアフィリエイトサイトシステム１は、受信した映像コンテンツ識別子に関連付いた嗜好分類コードを映像コンテンツ記憶手段から読み出し、その嗜好分類コードを、ユーザ嗜好記憶手段において上記受信したユーザ識別子に対応する嗜好分類コードに反映させる。例えば、映像コンテンツに付与された嗜好分類コードのうち、ユーザ識別子に未だ関連付けられていない嗜好分類コードをユーザ識別子に関連付けて追加する。これにより、ユーザ端末のスクリーンセーバーに再生される映像コンテンツは、ユーザの嗜好を学習して選択されるようになる。
【００２８】
一方、ＥＣサイトシステム３は、ＥＣサイト接続手段から送信された情報を関連付けて記憶手段に格納すると共に（図２（ｂ））、受信したアイテム識別子に対応するアイテム購入インタフェースを記憶手段から読み出してユーザ端末２に提供する。
【００２９】
ユーザが、アイテム購入インタフェースを介してアイテム（音源、ビデオ等の音楽アイテム）の購入を決定すると、ユーザ端末２からＥＣサイトシステム３に注文書が送信される（Ｓ３）。
【００３０】
この注文書を受信したＥＣサイトシステム３は所定の決済処理を行うと共に、今回の購入明細をアフィリエイト仲介システム４に通知する（Ｓ４）。この購入明細には、購入されたアイテムの売上と、当該アイテムの識別子に関連付けられたアフィリエイトサイト識別子と、映像コンテンツ制作者識別子とが記憶手段から読み出されて付加される。
【００３１】
この購入明細を受信したアフィリエイト仲介システム４は、当該受信情報を関連付けて記憶手段に格納する（図２（ｃ））。そして、報酬分配ルール記憶手段から報酬分配ルールを読み出し、報酬算出手段が、購入明細に含まれるアイテムの売上にこの報酬分配ルールを適用し、アフィリエイトサイトの報酬と映像コンテンツ制作者の報酬とを算出する（Ｓ５）。そして、アフィリエイトサイトの報酬を購入明細に含まれるアフィリエイトサイトの識別子に関連付けて記憶手段に格納すると共に、映像コンテンツ制作者の報酬を購入明細に含まれる映像コンテンツ制作者の識別子に関連付けて記憶手段に格納する。この際、映像コンテンツ制作者の報酬は、アフィリエイトサイトの識別子とも関連付けておく。
【００３２】
その後、アフィリエイトサイトに報酬を報告する時期が到来すると、アフィリエイト仲介システム４は、そのアフィリエイトサイトの識別子に関連付いた報酬と、当該アフィリエイトサイトの識別子に関連付いた映像コンテンツ制作者の報酬とを記憶手段から読み出
し、これらの情報を含む報酬明細をアフィリエイトサイトシステムに通知する（Ｓ６）。
【００３３】
アフィリエイト収入は、ＥＣサイトからアフィリエイト仲介システムの運営者に支払われ、更に、アフィリエイト仲介システムの運営者からアフィリエイトサイトに支払われる。この支払いには、アフィリエイトサイトの報酬と、そのアフィリエイトサイトが管理する映像コンテンツ制作者の報酬とが含まれる。アフィリエイトサイトは、アフィリエイト仲介システム４から通知された報酬明細を参照し、各映像コンテンツ制作者に報酬を支払う。
【００３４】
以上説明した本実施形態によれば、ユーザがプロモーション映像を見てＥＣサイトの音楽アイテムを購入すると、そのアフィリエイト収入の一部が当該プロモーション映像の制作者に分配される。よって、映像コンテンツ制作者は、良質な映像を積極的に制作しようというインセンティブが働き、映像業界の発展に寄与する。
【００３５】
ここで、本発明は上記実施形態に限られない。例えば、アフィリエイトサイトシステム１が提供する映像コンテンツは、音楽アーティストのプロモーションビデオに限らず、映画の予告編やテレビコマーシャル等でもよく、映像コンテンツの種類は問わない。また、特許請求の範囲に記載の手段やステップが実質的に備わっていれば足り、その範囲で種々の仕様変更が可能である。
【図面の簡単な説明】
【００３６】
【図１】本発明にかかるアフィリエイトシステムの一実施形態を示すブロック図。
【図２】図１に示すアフィリエイトシステムが扱うデータ構造図。
【図３】図１に示すアフィリエイトシステムの動作を示す流れ図。
【符号の説明】
【００３７】
１  アフィリエイトサイトシステム
２  ユーザ端末
３  ＥＣサイトシステム
４  アフィリエイト仲介システム
【図１】
2007219860.tif 000003
【図２】
2007219860.tif 000004
【図３】
2007219860.tif 000005